(57)【要約】【課題】  安定した制振性能を持ち、低コストで保守作業が容易な制振装置を提供する。【解決手段】  本発明は、下端が固定された垂直鋼管部材に内蔵固定される制振装置において、鋼管部材５よりも外径の小さい鋼管フレーム１１を鋼管部材５の上方から挿入して固定し、鋼管フレーム１１内の上部に高減衰ゴム１０を取付け、鋼管フレーム１１の底面に透孔１３を設けた底板１２を取付け、底板１２上面の透孔１３の周囲にゴム体１４を取付け、ゴム体１４の上面に支持金具１５を設け、下端部に錘１６が取付けられた支持棒１７を透孔１３に挿通して、支持金具１５に固定し、支持棒１７の上端部は高減衰ゴム１０と接するようにプレート１８を取付けて構成されるものである。【選択図】    図２
2005172210.tif 000002
【特許請求の範囲】
【請求項１】
下端が固定された垂直鋼管部材に内蔵固定される制振装置において、鋼管部材５よりも外径の小さい鋼管フレーム１１を鋼管部材５の上方から挿入して固定し、鋼管フレーム１１内の上部に高減衰ゴム１０を取付け、鋼管フレーム１１の底面に透孔１３を設けた底板１２を取付け、底板１２上面の透孔１３の周囲にゴム体１４を取付け、ゴム体１４の上面に支持金具１５を設け、下端部に錘１６が取付けられた支持棒１７を透孔１３に挿通して、支持金具１５に固定し、支持棒１７の上端部は高減衰ゴム１０と接するようにプレート１８を取付けて構成される制振装置。
【請求項２】
下端が固定された垂直鋼管部材に内蔵固定される制振装置において、鋼管部材５よりも外径の小さい鋼管フレーム２２を鋼管部材５の上方から挿入して固定し、鋼管フレーム２２の底面に透孔２４を設けた底板２３を取付け、底板２３上面の透孔２４の周囲にゴム体２５を取付け、ゴム体２５の上面に支持金具２６を設け、下端部に錘２７が取付けられた支持棒２８を透孔２４に挿通して、支持金具２６に固定し、支持棒２８の上端部に取付けられたプレート２９を鋼管フレーム２２内に充填した高粘性液体２１に浸漬して構成される制振装置。
【請求項３】
下端が固定された垂直鋼管部材に内蔵固定される制振装置において、鋼管部材５よりも外径の小さい鋼管フレーム３３を鋼管部材５の上方から挿入して固定し、鋼管フレーム３３内の上部に高減衰ゴム３２を取付け、鋼管フレーム３３の底面に透孔３５を設けた底板３４を取付け、透孔３５の周囲の底板３４の上面および下面にゴム体３６を取付け、ゴム体３６を垂直方向に挟むように２つの支持金具３７を設け、支持棒３８を透孔３５に挿通して、支持棒３８の下端部を支持金具３７に固定し、支持棒３８の上端部は高減衰ゴム３２と接するように錘３９を取付けて構成される制振装置。
【請求項４】
下端が固定された垂直鋼管部材に内蔵固定される制振装置において、鋼管部材５よりも外径の小さい鋼管フレーム４３を鋼管部材５の上方から挿入して固定し、鋼管フレーム４３の底面に透孔４５を設けた底板４４を取付け、透孔４５の周囲の底板４４の上面および下面にゴム体４６を取付け、ゴム体４６を垂直方向に挟むように２つの支持金具４７を設け、支持棒４８を透孔４５に挿通して、支持棒４８の下端部を支持金具４７に固定し、支持棒４８の上端部に取付けられた錘４９を鋼管フレーム４３内に充填した高粘性液体４２に浸漬して構成される制振装置。
【発明の詳細な説明】
【技術分野】
【０００１】  本発明は、アンテナ支持鋼管や避雷針支持柱などの下端が固定された片持ち型の中空鋼管に使用する制振装置に関する。
【背景技術】
【０００２】  テレビ放送などに用いるアンテナ装置は、風によってアンテナおよびアンテナ支持鋼管が振動する。一般に、アンテナは電波を送受信し易い高所に設置されるため風の影響を受け易く、風は平均して地上より高所の方が風速が大きいため、風による振動が起こり易い。また、避雷針支持柱においても、高所に設置されるため風の影響を受け易く、風による振動が起こり易い。【０００３】  この振動は、アンテナ取付部やアンテナ支持鋼管および避雷針支持柱の材料疲労を招くほか、アンテナ装置の性能にも大きな影響を及ぼすため、次のような鋼管内部に設置する制振装置が知られている。【０００４】  鋼管ポール内にチェーンを吊り下げ、鋼管ポールが風などにより振動すると、チェーンが振動し、そのチェーンと鋼管ポールの内壁の衝突による振動減衰効果を期待した制振装置が提案されている。また、チェーンの代わりに錘を用いる制振装置も提案されている（例えば、特許文献１参照。）。【０００５】  また、ポールの内部にシリコンオイル、水、砂、粉末状樹脂、粒鉄などの１種または数種よりなる流動体を封入した容器を設けることによってポールの振動を抑制する方法も提案されている（例えば、特許文献２参照。）。【０００６】  また、ポールに感振器と電動ウインチを設け、この電動ウインチから繰り出す紐体で錘をポールの内壁面に係合するように吊支承し、感振器がポールの振動を検知すると、感振器からの信号を受けて電動ウインチを操作することでポールの振動を抑制するアクティブ制振装置が提案されている（例えば、特許文献３参照。）。
【特許文献１】特開昭６１−２２９００３号公報
【特許文献２】実開平２−６８３５号公報
【特許文献３】実開平５−６２６７０号公報
【発明の開示】
【発明が解決しようとする課題】
【０００７】  しかしながら、鋼管ポール内にチェーンおよび錘を吊り下げる制振装置では、チェーンおよび錘が振動し、鋼管ポールと衝突する際の騒音と衝突の繰返しにより鋼管ポールが破損するという問題があった。また、チェーンおよび錘と鋼管ポールの衝突時の騒音を低減させるために、鋼管ポールの内壁にウレタンライニングを設ける対策が取られたが、ウレタンライニングが繰返しの衝突により摩耗し、チェーンおよび錘と鋼管ポールの内壁とが直接衝突するようになり、衝突時の騒音が大きくなるという問題があった。【０００８】  また、ポールの内部にシリコンオイル、水などの流動体を封入した容器を設ける制振装置では、十分な振動抑制効果を得るために、非常に大きな水槽を必要とし、保守作業も困難であるという問題があった。【０００９】  さらに、アクティブ制振装置は効果的に振動を抑制できるが、複雑かつ大掛かりで高価となり、経済効果が重視される場合には向かないという問題があった。
【課題を解決するための手段】
【００１０】  前述の問題を有利に解決するために、本発明の制振装置においては、鋼管部材５よりも外径の小さい鋼管フレーム１１を鋼管部材５の上方から挿入して固定し、鋼管フレーム１１内の上部に高減衰ゴム１０を取付け、鋼管フレーム１１の底面に透孔１３を設けた底板１２を取付け、底板１２上面の透孔１３の周囲にゴム体１４を取付け、ゴム体１４の上面に支持金具１５を設け、下端部に錘１６が取付けられた支持棒１７を透孔１３に挿通して、支持金具１５に固定し、支持棒１７の上端部は高減衰ゴム１０と接するようにプレート１８を取付けて構成することによって有利に解決することができる。【００１１】  また、前述の問題を有利に解決するために、鋼管部材５よりも外径の小さい鋼管フレーム２２を鋼管部材５の上方から挿入して固定し、鋼管フレーム２２の底面に透孔２４を設けた底板２３を取付け、底板２３上面の透孔２４の周囲にゴム体２５を取付け、ゴム体２５の上面に支持金具２６を設け、下端部に錘２７が取付けられた支持棒２８を透孔２４に挿通して、支持金具２６に固定し、支持棒２８の上端部に取付けられたプレート２９を鋼管フレーム２２内に充填した高粘性液体２１に浸漬して構成することによっても有利に解決することができる。【００１２】  また、前述の問題を有利に解決するために、鋼管部材５よりも外径の小さい鋼管フレーム３３を鋼管部材５の上方から挿入して固定し、鋼管フレーム３３内の上部に高減衰ゴム３２を取付け、鋼管フレーム３３の底面に透孔３５を設けた底板３４を取付け、透孔３５の周囲の底板３４の上面および下面にゴム体３６を取付け、ゴム体３６を垂直方向に挟むように２つの支持金具３７を設け、支持棒３８を透孔３５に挿通して、支持棒３８の下端部を支持金具３７に固定し、支持棒３８の上端部は高減衰ゴム３２と接するように錘３９を取付けて構成することによっても有利に解決することができる。【００１３】  さらに、前述の問題を有利に解決するために、鋼管部材５よりも外径の小さい鋼管フレーム４３を鋼管部材５の上方から挿入して固定し、鋼管フレーム４３の底面に透孔４５を設けた底板４４を取付け、透孔４５の周囲の底板４４の上面および下面にゴム体４６を取付け、ゴム体４６を垂直方向に挟むように２つの支持金具４７を設け、支持棒４８を透孔４５に挿通して、支持棒４８の下端部を支持金具４７に固定し、支持棒４８の上端部に取付けられた錘４９を鋼管フレーム４３内に充填した高粘性液体４２に浸漬して構成することによっても有利に解決することができる。
【発明の効果】
【００１４】  本発明の制振装置によれば、鋼管部材に振動が発生すると、支持棒に取付けられている錘が振動し、その錘の振動エネルギーを高減衰ゴムとプレート間あるいは高減衰ゴムと錘間の摩擦と高減衰ゴム自身の減衰能力、あるいは高粘性液体自身の減衰能力により吸収することで、鋼管部材を制振する。また、減衰性能の安定性が極めて高い高減衰ゴムあるいは高粘性液体を利用することで、制振効果の長期的な安定性が得られる。さらに、鋼管部材の水平振動を抑制することで、振動に起因する鋼管部材の破壊を未然に防止することができる。アンテナ支持鋼管の場合、振動を抑えることで鉄塔の振動も抑制されるので、振動によるアンテナ装置の傾きが小さく、アンテナ性能が安定する。【００１５】  また、鋼管部材内部に納める構造であるため、受風面積を増加させたり、アンテナの障害となることなく、取付け取外しが容易であるので、保守作業が容易であり、構造は簡単で安価であるので経済効果が大きい。
【発明を実施するための最良の形態・実施例】
【００１６】  図１は、本発明の実施の形態に係る塔状鋼構造物の概略構成例を示す側面図である。塔状鋼構造物は図１に示すように、塔状構造１とアンテナ支持鋼管２から構成されている。制振装置３は、同図に示すように、アンテナ支持鋼管２の頂部に備えるものであり、アンテナ４を支持するアンテナ支持鋼管２の内部に設置される。また、本発明の制振装置３は、図１に示す塔状構造１の頂部に設けられたアンテナ支持鋼管２の他に避雷針支持柱など下端が固定された片持ち型の中空鋼管に使用することができる。
【００１７】  以下、本発明を図示した実施例によって説明する。
【実施例１】
【００１８】  本発明の実施例１を図２と図３および図４を用いて説明する。図２は本実施例の制振装置の側面図、図３は図２のＡ−Ａ断面図、図４は図２のＢ−Ｂ断面図である。【００１９】  図２に示すように、制振装置３は鋼管部材５の上方から挿入され、複数のボルト孔７を有する蓋板６と鋼管部材５の上端に設けられた複数のボルト孔９を有するフランジ８とをボルト接合して、一体に固着される。【００２０】  前記蓋板６の下面の中央部には、高減衰ゴム１０が取付けられ、鋼管フレーム１１は高減衰ゴム１０を囲むように鋼管フレーム１１の上端部を蓋板６の下面に溶接などで固着され、底板１２は底板１２上面を鋼管フレーム１１の下端部に溶接などで固着されている。前記底板１２は中央部に透孔１３を有し、その透孔１３の周囲にゴム体１４を取付け、前記ゴム体１４の上面に支持金具１５を設けている。【００２１】  また、球状のゴム製の錘１６を下端部に取付けた鋼製の支持棒１７は、底板１２の透孔１３を挿通して、支持棒１７の中間部を支持金具１５に溶接などで固定され、支持棒１７の上端部には高減衰ゴム１０と接するように鋼製のプレート１８が取付けられている。【００２２】  これにより、鋼管部材５が振動すると吊下支持されている錘１６が振動し、その錘１６の振動エネルギーを支持棒１７の上端部に取付けられたプレート１８と蓋板６に取付けられた高減衰ゴム１０間の摩擦と高減衰ゴム１０自身の減衰能力によって吸収することで、鋼管部材５の振動を制振する。【００２３】  また、錘１６はゴム体１４の上面に設けた支持金具１５と支持棒１７を介在して支持されており、錘１６は水平方向に対しては、特定の方向性がなく、任意の水平方向の振動に対して制振する。
【実施例２】
【００２４】  本発明の実施例２を図５を用いて説明する。図５は本実施例の制振装置の側面図である。【００２５】  図５に示すように、制振装置３は鋼管部材５の上方から挿入され、複数のボルト孔２０を有する蓋板１９と鋼管部材５の上端に設けられた複数のボルト孔９を有するフランジ８とをボルト接合して、一体に固着される。【００２６】  鋼管フレーム２２は上端部を蓋板１９の下面に溶接などで固着され、底板２３は底板２３上面を鋼管フレーム２２の下端部に溶接などで固着されている。前記底板２３は中央部に透孔２４を有し、その透孔２４の周囲にゴム体２５を取付け、前記ゴム体２５の上面に支持金具２６を設け、鋼管フレーム２２内には高粘性液体２１が充填されている。【００２７】  また、球状のゴム製の錘２７を下端部に取付けた鋼製の支持棒２８は、底板２３の透孔２４を挿通して、支持棒２８の中間部を支持金具２６に溶接などで固定され、支持棒２８の上端部に取付けられた鋼製のプレート２９は鋼管フレーム２２内に充填した高粘性液体２１に浸漬されている。【００２８】  これにより、鋼管部材５が振動すると吊下支持されている錘２７が振動し、その錘２７の振動エネルギーを支持棒２８の上端部に取付けられたプレート２９を浸漬している部分の高粘性液体２１により吸収することで、鋼管部材５の振動を制振する。【００２９】  また、錘２７はゴム体２５の上面に設けた支持金具２６と支持棒２８を介在して支持されており、錘２７は水平方向に対しては、特定の方向性がなく、任意の水平方向の振動に対して制振する。
【実施例３】
【００３０】  本発明の実施例３を図６と図７および図８を用いて説明する。図６は本実施例の制振装置の側面図、図７は図６のＣ−Ｃ断面図、図８は図６のＤ−Ｄ断面図である。【００３１】  図６に示すように、制振装置３は鋼管部材５の上方から挿入され、複数のボルト孔３１を有する蓋板３０と鋼管部材５の上端に設けられた複数のボルト孔９を有するフランジ８とをボルト接合して、一体に固着される。【００３２】  前記蓋板３０の下面の中央部には、高減衰ゴム３２が取付けられ、鋼管フレーム３３は高減衰ゴム３２を囲むように鋼管フレーム３３の上端部を蓋板３０の下面に溶接などで固着され、底板３４は底板３４上面を鋼管フレーム３３の下端部に溶接などで固着されている。前記底板３４は中央部に透孔３５を有し、前記透孔３５の周囲の底板３４の上面および下面にゴム体を３６取付け、前記ゴム体３６を垂直方向に挟むように２つの支持金具３７が設けられている。【００３３】  また、鋼製の錘３９を上端部に取付けた鋼製の支持棒３８は、底板３４の透孔３５を挿通して、支持棒３８の下端部を支持金具３７に溶接などで固定され、支持棒３８上端部の錘３９は高減衰ゴム３２と接するように取付けられている。【００３４】  これにより、鋼管部材５が振動すると、下方から支持されている錘３９が振動し、その錘３９の振動エネルギーを支持棒３８の上端部に取付けられた錘３９と蓋板３０に取付けられた高減衰ゴム３２間の摩擦と高減衰ゴム３２自身の減衰能力によって吸収することで、鋼管部材５の振動を制振する。【００３５】  また、錘３９はゴム体３６を垂直方向に挟むように設けた支持金具３７と支持棒３８を介在して支持されており、錘３９は水平方向に対しては、特定の方向性がなく、任意の水平方向の振動に対して制振する。
【実施例４】
【００３６】  本発明の実施例４を図９を用いて説明する。図９は本実施例の制振装置の側面図である。【００３７】  図９に示すように、制振装置３は鋼管部材５の上方から挿入され、複数のボルト孔４１を有する蓋板４０と鋼管部材５の上端に設けられた複数のボルト孔９を有するフランジ８とをボルト接合して、一体に固着される。【００３８】  鋼管フレーム４３は上端部を蓋板４０の下面に溶接などで固着され、底板４４は底板４４上面を鋼管フレーム４３の下端部に溶接などで固着されている。前記底板４４は中央部に透孔４５を有し、透孔４５の周囲の底板４４の上面および下面にゴム体を４６取付け、前記ゴム体４６を垂直方向に挟むように２つの支持金具４７を設け、鋼管フレーム４３内には高粘性液体４２が充填されている。【００３９】  また、鋼製の錘４９を上端部に取付けた鋼製の支持棒４８は、底板４４の透孔４５を挿通して、支持棒４８の下端部を支持金具４７に溶接などで固定され、支持棒４８の上端部に取付けられた鋼製の錘４９を鋼管フレーム４３に浸漬して構成されている。【００４０】  これにより、鋼管部材５が振動すると、下方から支持されている錘４９が振動し、その錘４９の振動エネルギーを支持棒３８の上端部に取付けられた錘４９を浸漬している部分の高粘性液体４２により吸収することで、鋼管部材５の振動を制振する。【００４１】  また、錘４９はゴム体４６を垂直方向に挟むように設けた支持金具４７と支持棒４８を介在して支持されており、錘４９は水平方向に対しては、特定の方向性がなく、任意の水平方向の振動に対して制振する。
【図面の簡単な説明】
【００４２】
【図１】  塔状鋼構造物の概略構成例を示す側面図
【図２】  実施例１の制振装置の側面図
【図３】  実施例１の制振装置のＡ−Ａ断面図
【図４】  実施例１の制振装置のＢ−Ｂ断面図
【図５】  実施例２の制振装置の側面図
【図６】  実施例３の制振装置の側面図
【図７】  実施例３の制振装置のＣ−Ｃ断面図
【図８】  実施例３の制振装置のＤ−Ｄ断面図
【図９】  実施例４の制振装置の側面図
【符号の説明】
【００４３】  １  塔状構造
２  アンテナ支持鋼管
３  制振装置
４  アンテナ
５  鋼管部材
６  蓋板
７  ボルト孔
８  フランジ
９  ボルト孔
１０  高減衰ゴム
１１  鋼管フレーム
１２  底板
１３  透孔
１４  ゴム体
１５  支持金具
１６  錘
１７  支持棒
１８  プレート
１９  蓋板
２０  ボルト孔
２１  高粘性液体
２２  鋼管フレーム
２３  底板
２４  透孔
２５  ゴム体
２６  支持金具
２７  錘
２８  支持棒
２９  プレート
３０  蓋板
３１  ボルト孔
３２  高減衰ゴム
３３  鋼管フレーム
３４  底板
３５  透孔
３６  ゴム体
３７  支持金具
３８  支持棒
３９  錘
４０  蓋板
４１  ボルト孔
４２  高粘性液体
４３  鋼管フレーム
４４  底板
４５  透孔
４６  ゴム体
４７  支持金具
４８  支持棒
４９  錘
【図１】
2005172210.tif 000003
【図２】
2005172210.tif 000004
【図３】
2005172210.tif 000005
【図４】
2005172210.tif 000006
【図５】
2005172210.tif 000007
【図６】
2005172210.tif 000008
【図７】
2005172210.tif 000009
【図８】
2005172210.tif 000010
【図９】
2005172210.tif 000011